(57)【要約】【課題】  画像機器間での色域の違いを適切に吸収してカラー画像データを変換する。【解決手段】  第１の画像機器の有する第１の色域と、第２の画像機器の有する第２の色域とを包含する第３の色域を設定する。次いで、第１の色域を第３の色域に拡張し、更に第２の色域に圧縮して、各色域間の色彩同士を対応付ける。次いで、得られた色彩同士の対応に従って、第１のカラー画像データを第２のカラー画像データに変換する。第３の色域は、第１の色域および第２の色域を包含するように設定されているので、第１の色域から第３の色域への拡張や、第３の色域から第２の色域への圧縮を、色の明度や彩度の連続性を保ったまま行うことができる。その結果、第１の画像機器と第２の画像機器との間の色域の違いを吸収して、適切にカラー画像データを変換することが可能となる。【選択図】  図１
2007053521.tif 000002
【特許請求の範囲】
【請求項１】
第１の画像機器による色再現を想定して生成された第１のカラー画像データを、第２の画像機器による色再現を想定した第２のカラー画像データに変換する画像データ変換装置であって、
前記第１のカラー画像データと前記第２のカラー画像データとの対応関係を記憶している対応関係記憶手段と、
前記対応関係に従って、前記第１のカラー画像データを前記第２のカラー画像データに変換する画像データ変換手段と
を備え、
前記第１の画像機器は、表現可能な色彩の範囲である色域として第１の色域を有する機器であり、
前記第２の画像機器は、前記色域として、前記第１の色域とは異なる第２の色域を有する機器であり、
前記記憶されている対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係である画像データ変換装置。
【請求項２】
請求項１に記載の画像データ変換装置であって、
前記記憶されている対応関係は、
予め設定しておいた色相において、前記第１の色域の最大彩度点と前記第２の色域の最大彩度点とを直線で結ぶことによって前記第３の色域を生成し、
前記第１の色域を前記第３の色域に拡張した後、該第３の色域を前記第２の色域に圧縮することによって生成した対応関係である画像データ変換装置。
【請求項３】
請求項１に記載の画像データ変換装置であって、
前記第１のカラー画像データは、光の三原色を構成する赤、緑、青の各色の階調値によって色彩を表現する画像データであり、
前記第２のカラー画像データは、インクの三原色を構成するシアン、マゼンタ、イエロの各色の階調値によって色彩を表現する画像データである画像データ変換装置。
【請求項４】
第１の画像機器による色再現を想定して生成された第１のカラー画像データを、第２の画像機器による色再現を想定した第２のカラー画像データに変換した後、該第２のカラー画像データに基づいてカラー画像を印刷する印刷装置であって、
前記第１のカラー画像データと前記第２のカラー画像データとの対応関係を記憶している対応関係記憶手段と、
前記対応関係に従って、前記第１のカラー画像データを前記第２のカラー画像データに変換する画像データ変換手段と、
前記第２のカラー画像データに基づいて画像を印刷する画像印刷手段と
を備え、
前記第１の画像機器は、表現可能な色彩の範囲である色域として第１の色域を有する機器であり、
前記第２の画像機器は、前記色域として、前記第１の色域とは異なる第２の色域を有する機器であり、
前記記憶されている対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係である印刷装置。
【請求項５】
第１の画像機器による色再現を想定して生成された第１のカラー画像データを、第２の画像機器による色再現を想定した第２のカラー画像データに変換する画像データ変換方法であって、
前記第１のカラー画像データと前記第２のカラー画像データとの対応関係を記憶している第１の工程と、
前記対応関係に従って、前記第１のカラー画像データを前記第２のカラー画像データに変換する第２の工程と
を備え、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の工程で記憶している対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係である画像データ変換方法。
【請求項６】
第１の画像機器による色再現を想定して生成された第１のカラー画像データを、第２の画像機器による色再現を想定した第２のカラー画像データに変換した後、該第２のカラー画像データに基づいてカラー画像を印刷する印刷方法であって、
前記第１のカラー画像データと前記第２のカラー画像データとの対応関係を記憶している工程（Ａ）と、
前記対応関係に従って、前記第１のカラー画像データを前記第２のカラー画像データに変換する工程（Ｂ）と、
前記第２のカラー画像データに基づいて画像を印刷する工程（Ｃ）と
を備え、
前記第１の画像機器は、表現可能な色彩の範囲である色域として第１の色域を有する機器であり、
前記第２の画像機器は、前記色域として、前記第１の色域とは異なる第２の色域を有する機器であり、
前記工程（Ａ）で記憶している対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係である印刷方法。
【請求項７】
第１の画像機器による色再現を想定して生成された第１のカラー画像データを、第２の画像機器による色再現を想定した第２のカラー画像データに変換するために参照される対応関係を設定する対応関係設定方法であって、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付ける工程（ア）と、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより、前記対応関係を設定する工程（イ）と
を備える対応関係設定方法。
【請求項８】
第１の画像機器による色再現を想定して生成された第１のカラー画像データを、第２の画像機器による色再現を想定した第２のカラー画像データに変換する方法を、コンピュータを用いて実現するためのプログラムであって、
前記第１のカラー画像データと前記第２のカラー画像データとの対応関係を記憶している第１の機能と、
前記対応関係に従って、前記第１のカラー画像データを前記第２のカラー画像データに変換する第２の機能と
をコンピュータを用いて実現させるとともに、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の機能によって記憶される対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であるプログラム。
【請求項９】
第１の画像機器による色再現を想定して生成された第１のカラー画像データを、第２の画像機器による色再現を想定した第２のカラー画像データに変換した後、該第２のカラー画像データに基づいてカラー画像を印刷する方法を、コンピュータを用いて実現するためのプログラムであって、
前記第１のカラー画像データと前記第２のカラー画像データとの対応関係を記憶している機能（Ａ）と、
前記対応関係に従って、前記第１のカラー画像データを前記第２のカラー画像データに変換する機能（Ｂ）と、
前記第２のカラー画像データに基づいて画像を印刷する機能（Ｃ）と
をコンピュータを用いて実現させるとともに、
前記第１の画像機器は、表現可能な色彩の範囲である色域として第１の色域を有する機器であり、
前記第２の画像機器は、前記色域として、前記第１の色域とは異なる第２の色域を有する機器であり、
前記機能（Ａ）によって記憶される対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であるプログラム。
【請求項１０】
第１の画像機器による色再現を想定して生成された第１のカラー画像データを、第２の画像機器による色再現を想定した第２のカラー画像データに変換するために参照される対応関係を設定する方法を、コンピュータを用いて実現するためのプログラムであって、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付ける機能（ア）と、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより、前記対応関係を設定する機能（イ）と
をコンピュータを用いて実現するプログラム。
【発明の詳細な説明】
【技術分野】
【０００１】
本発明は、カラー画像データのデータ変換を行う技術に関し、詳しくは、第１の画像機器用に生成されたカラー画像データを第２の画像機器で再現するに際して、違和感無く再現可能なようにカラー画像データを変換する技術に関する。
【背景技術】
【０００２】
カラー画像を表現可能な画像機器としては、カラーディスプレイやカラープリンタなど種々の機器が存在しているが、これら画像機器は、色彩を表現する基本原理や詳細な表現方式が異なっているため、表現可能な色彩の範囲（色域、またはガマット）は機器毎に異なっている。例えば、カラーディスプレイでは、いわゆる加法混色の原理に基づいて色彩を表現するのに対して、カラープリンタでは減法混色の原理に基づいて色彩を表現しており、こうした原理の違いに対応して、表現可能な色彩の範囲に違いが生じている。また、カラーディスプレイ同士、カラープリンタ同士であっても、機種が違えば仕様あるいは部品の特性が違うので、機種毎に異なる色域を有していることが通常である。
【０００３】
このように、画像機器の有する色域が機種間で異なるため、ある画像機器で作成したカラー画像データ、またはある画像機器で再生することを想定して作成されたカラー画像データを、異なる画像機器で再生する際には、データ変換を行うことが必要となる。例えば、カラーディスプレイに表示されているカラー画像データをカラープリンタに供給して画像を印刷する場合、カラーディスプレイでは表現可能であるがカラープリンタでは表現できない色域については、その色域内の色彩を、カラープリンタが表現可能な他の色彩に置き換えて表現する必要がある。また、カラープリンタの色域をできるだけ広く活用して良好なカラー画像を印刷するためには、カラーディスプレイの色域の一部をカラープリンタの色域まで拡張するようなデータ変換が必要となる。このようなデータ変換は「マッピング」と呼ばれることがある。
【０００４】
このようなデータ変換（マッピング）は、異なる画像機器間でのカラー画像データの対応関係を記憶しておき、かかる対応関係を参照することによって行われる。例えば、カラーディスプレイ上に表示されたカラー画像をカラープリンタから印刷する場合、カラーディスプレイで表示される画像データと、カラープリンタに供給する画像データとの対応関係を予め設定しておき、ディスプレイ上に表示するために用いたカラー画像データを、かかる対応関係に従って変換した後、カラープリンタに供給することによってカラー画像を印刷する。そして、良好なカラー画像を得るためには、異なる画像機器間での色域の違いを吸収しながら、尚且つ、再生する側の画像機器の色域をできるだけ広く使用できるように、適切な対応関係を設定しておくことが重要であり、こうした対応関係を設定するための手法も、種々の手法が提案されている（例えば、特許文献１）。
【０００５】
【特許文献１】特開２００２−３５９７４８号公報
【発明の開示】
【発明が解決しようとする課題】
【０００６】
しかし、異なる画像機器間の色域の違いを吸収しながら、再生側の画像機器の色域をできるだけ広く使用するような対応関係を設定することは、必ずしも容易なことではなく、実際には、適切な対応関係を設定することが困難な場合も多く存在しているという問題がある。すなわち、異なる画像機器間で色域がずれていることは通常であるものの、色域が重なっている領域も多く存在しており、このような領域では同じ色彩を表現可能である。そして、表示する画像機器の違いによらず画像の見え方を同じにする観点からは、このような色域の重なる領域では、元の色彩が出来るだけ保たれるようにカラー画像データを変換（マッピング）することが望ましい。結局、色域の違いを吸収するためのマッピング、すなわち、色域がずれているために表現できない領域は色域の内部に圧縮し、逆に利用されていない領域は色域の範囲内で拡張するというデータ変換は、画像機器間で色域が重複する部分のごく狭い領域で行うことが要請されることになり、その結果、色彩のつながりが不自然になって違和感を与える画像になり易いという問題がある。
【０００７】
この発明は、従来の技術における上述した課題を解決するためになされたものであり、異なる画像機器間での色域の違いを適切に吸収しながら、尚且つ、再生する側の画像機器の色域をできるだけ広く使用できるような適切な対応関係を設定することで、どのような画像機器においても、カラー画像を良好に表示可能とする技術の提供を目的とする。
【０００８】
加えて、異なる画像機器間での色域の違いを適切に吸収可能な対応関係を、簡便に設定可能な技術の提供を目的とする。
【課題を解決するための手段】
【０００９】
上述した課題の少なくとも一部を解決するために、本発明の画像データ変換装置は次の構成を採用した。すなわち、
第１の画像機器による色再現を想定して生成された第１のカラー画像データを、第２の画像機器による色再現を想定した第２のカラー画像データに変換する画像データ変換装置であって、
前記第１のカラー画像データと前記第２のカラー画像データとの対応関係を記憶している対応関係記憶手段と、
前記対応関係に従って、前記第１のカラー画像データを前記第２のカラー画像データに変換する画像データ変換手段と
を備え、
前記第１の画像機器は、表現可能な色彩の範囲である色域として第１の色域を有する機器であり、
前記第２の画像機器は、前記色域として、前記第１の色域とは異なる第２の色域を有する機器であり、
前記記憶されている対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であることを要旨とする。
【００１０】
また、上記の画像データ変換装置に対応する本発明の画像データ変換方法は、
第１の画像機器による色再現を想定して生成された第１のカラー画像データを、第２の画像機器による色再現を想定した第２のカラー画像データに変換する画像データ変換方法であって、
前記第１のカラー画像データと前記第２のカラー画像データとの対応関係を記憶している第１の工程と、
前記対応関係に従って、前記第１のカラー画像データを前記第２のカラー画像データに変換する第２の工程と
を備え、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の工程で記憶している対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であることを要旨とする。
【００１１】
かかる本発明の画像データ変換装置および画像データ変換方法においては、第１のカラー画像データと第２のカラー画像データとを対応付けた対応関係に従って、カラー画像データを変換する。そして、この対応関係は次のようにして設定されている。先ず、第１の画像機器の色域である第１の色域と、第２の画像機器の色域である第２の色域とを包含するような第３の色域を設定する。次いで、第１の色域を第３の色域に拡張した後、第３の色域を第２の色域に圧縮することによって、第１の色域に含まれる各色彩と、第２の色域に含まれる各色彩とを対応付ける。そして、こうして得られた色彩間の対応関係に従って、第１のカラー画像データと第２のカラー画像データとを対応付けることによって生成されている。
【００１２】
詳細な理由については後述するが、第３の色域は、第１の色域および第２の色域を包含するように設定されているので、第１の色域から第３の色域への拡張や、第３の色域から第２の色域への圧縮を、色の明度や彩度の連続性を保ったまま行うことができる。このため、第１の画像機器と第２の画像機器との間の色域の違いを吸収して、適切にカラー画像データを変換することが可能となる。
【００１３】
また、かかる画像データ変換装置においては、予め設定しておいた色相において、前記第１の色域の最大彩度点と前記第２の色域の最大彩度点とを直線で結ぶことによって前記第３の色域を生成し、次いで、第１の色域を第３の色域に拡張した後、該第３の色域を第２の色域に圧縮することによって、第１のカラー画像データと第２のカラー画像データとの対応関係を生成することとしても良い。
【００１４】
こうすれば、第１の色域および第２の色域を包含する第３の色域を簡便に生成することができるので、第１のカラー画像データと第２のカラー画像データとの適切な対応関係を簡便に生成することができ、延いては、第１の画像機器と第２の画像機器との間の色域の違いを吸収して、適切にカラー画像データを変換することが可能となる。
【００１５】
また、こうした画像データ変換装置は、光の三原色を構成する赤、緑、青の各色の階調値によって色彩を表現する第１のカラー画像データを、インクの三原色を構成するシアン、マゼンタ、イエロの各色の階調値によって色彩を表現する第２のカラー画像データに変換する変換装置とすることもできる。
【００１６】
光の三原色を構成する赤、緑、青の各色の階調値によって色彩を表現する方法や、インクの三原色を構成するシアン、マゼンタ、イエロの各色の階調値によって色彩を表現する方法は、何れも広く使用されているが、色彩を表現する原理に違いに対応して色域も異なっている。従って、本願の画像データ変換装置を用いて、これらカラー画像データを変換してやれば、多くの画像機器間でやり取りしたカラー画像データを用いて、適切にカラー画像を表示することが可能となる。
【００１７】
また、カラー画像を印刷する際にも、カラー画像データによって表現された色域と、印刷可能な色域との違いを吸収する必要があることに鑑みれば、本願の画像データ変換装置あるいは画像データ変換方法は、印刷装置あるいは印刷方法として把握することも可能である。すなわち、本願の印刷装置は、
第１の画像機器による色再現を想定して生成された第１のカラー画像データを、第２の画像機器による色再現を想定した第２のカラー画像データに変換した後、該第２のカラー画像データに基づいてカラー画像を印刷する印刷装置であって、
前記第１のカラー画像データと前記第２のカラー画像データとの対応関係を記憶している対応関係記憶手段と、
前記対応関係に従って、前記第１のカラー画像データを前記第２のカラー画像データに変換する画像データ変換手段と、
前記第２のカラー画像データに基づいて画像を印刷する画像印刷手段と
を備え、
前記第１の画像機器は、表現可能な色彩の範囲である色域として第１の色域を有する機器であり、
前記第２の画像機器は、前記色域として、前記第１の色域とは異なる第２の色域を有する機器であり、
前記記憶されている対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であることを要旨とする。
【００１８】
また、上記の印刷装置に対応する本願の印刷方法は、
第１の画像機器による色再現を想定して生成された第１のカラー画像データを、第２の画像機器による色再現を想定した第２のカラー画像データに変換した後、該第２のカラー画像データに基づいてカラー画像を印刷する印刷方法であって、
前記第１のカラー画像データと前記第２のカラー画像データとの対応関係を記憶している工程（Ａ）と、
前記対応関係に従って、前記第１のカラー画像データを前記第２のカラー画像データに変換する工程（Ｂ）と、
前記第２のカラー画像データに基づいて画像を印刷する工程（Ｃ）と
を備え、
前記第１の画像機器は、表現可能な色彩の範囲である色域として第１の色域を有する機器であり、
前記第２の画像機器は、前記色域として、前記第１の色域とは異なる第２の色域を有する機器であり、
前記工程（Ａ）で記憶している対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であることを要旨とする。
【００１９】
かかる印刷装置および印刷方法においては、第１のカラー画像データと第２のカラー画像データとを対応付けた対応関係に従って、カラー画像データを変換した後、カラー画像を印刷する。また、かかる対応関係は、第１の色域を、第１の色域と第２の色域とを包含するように設定された第３の色域に拡張した後、第２の色域に圧縮することによって、設定されている。後述するように、このようにして設定された対応関係に従って、第１のカラー画像データを第２のカラー画像データに変換してやれば、色の明度や彩度の連続性を保ったまま、カラー画像データを変換できるので、適切にカラー画像を印刷することが可能となる。
【００２０】
また、第１のカラー画像データを第２のカラー画像データに変換するためには、第１のカラー画像データと第２のカラー画像データとを対応付けた対応関係を設定しておく必要があることに鑑みれば、本願発明は、こうした対応関係を設定する方法として把握することも可能である。すなわち、本願発明の対応関係設定方法は、
第１の画像機器による色再現を想定して生成された第１のカラー画像データを、第２の画像機器による色再現を想定した第２のカラー画像データに変換するために参照される対応関係を設定する対応関係設定方法であって、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付ける工程（ア）と、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより、前記対応関係を設定する工程（イ）と
を備えることを要旨とする。
【００２１】
かかる本発明の対応関係設定方法においては、第１の画像機器の色域である第１の色域と、第２の画像機器の色域である第２の色域とを包含するような第３の色域を設定し、次いで、第１の色域を第３の色域に拡張した後、第３の色域を第２の色域に圧縮することによって、第１の色域に含まれる各色彩と、第２の色域に含まれる各色彩とを対応付ける。そして、こうして得られた色彩間の対応関係に従って、第１のカラー画像データと第２のカラー画像データとの対応関係を設定する。
【００２２】
このように、第１の色域および第２の色域を包含するような第３の色域を設定しておけば、第１の色域から第３の色域への拡張や、第３の色域から第２の色域への圧縮を、色の明度や彩度の連続性を保ったまま行うことができる。このため、第１の画像機器と第２の画像機器との間の色域の違いを適切に吸収するような対応関係を設定することが可能となる。
【００２３】
また、本願発明は、上述した画像データ変換方法、印刷方法、対応関係設定方法を実現するためのプログラムをコンピュータに読み込ませ、所定の機能を実行させることにより、コンピュータを用いて実現することも可能である。従って本願発明は、次のようなプログラム、あるいは該プログラムを記録した記録媒体としての態様も含んでいる。すなわち、上述した画像データ変換方法に対応する本発明のプログラムは、
第１の画像機器による色再現を想定して生成された第１のカラー画像データを、第２の画像機器による色再現を想定した第２のカラー画像データに変換する方法を、コンピュータを用いて実現するためのプログラムであって、
前記第１のカラー画像データと前記第２のカラー画像データとの対応関係を記憶している第１の機能と、
前記対応関係に従って、前記第１のカラー画像データを前記第２のカラー画像データに変換する第２の機能と
をコンピュータを用いて実現させるとともに、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の機能によって記憶される対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であることを要旨とする。
【００２４】
また、上記のプログラムに対応する本願発明の記録媒体は、
第１の画像機器による色再現を想定して生成された第１のカラー画像データを、第２の画像機器による色再現を想定した第２のカラー画像データに変換するプログラムを、コンピュータで読み取り可能に記録した記録媒体であって、
前記第１のカラー画像データと前記第２のカラー画像データとの対応関係を記憶している第１の機能と、
前記対応関係に従って、前記第１のカラー画像データを前記第２のカラー画像データに変換する第２の機能と
をコンピュータを用いて実現するプログラムを記録しているとともに、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の機能によって記憶される対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であることを要旨とする。
【００２５】
更に、上述した印刷方法に対応する本願発明のプログラムは、
第１の画像機器による色再現を想定して生成された第１のカラー画像データを、第２の画像機器による色再現を想定した第２のカラー画像データに変換した後、該第２のカラー画像データに基づいてカラー画像を印刷する方法を、コンピュータを用いて実現するためのプログラムであって、
前記第１のカラー画像データと前記第２のカラー画像データとの対応関係を記憶している機能（Ａ）と、
前記対応関係に従って、前記第１のカラー画像データを前記第２のカラー画像データに変換する機能（Ｂ）と、
前記第２のカラー画像データに基づいて画像を印刷する機能（Ｃ）と
をコンピュータを用いて実現させるとともに、
前記第１の画像機器は、表現可能な色彩の範囲である色域として第１の色域を有する機器であり、
前記第２の画像機器は、前記色域として、前記第１の色域とは異なる第２の色域を有する機器であり、
前記機能（Ａ）によって記憶される対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であることを要旨とする。
【００２６】
また、上記のプログラムに対応する本願発明の記録媒体は、
第１の画像機器による色再現を想定して生成された第１のカラー画像データを、第２の画像機器による色再現を想定した第２のカラー画像データに変換した後、該第２のカラー画像データに基づいてカラー画像を印刷するプログラムを、コンピュータで読み取り可能に記録した記録媒体であって、
前記第１のカラー画像データと前記第２のカラー画像データとの対応関係を記憶している機能（Ａ）と、
前記対応関係に従って、前記第１のカラー画像データを前記第２のカラー画像データに変換する機能（Ｂ）と、
前記第２のカラー画像データに基づいて画像を印刷する機能（Ｃ）と
をコンピュータを用いて実現するプログラムを記録しているとともに、
前記第１の画像機器は、表現可能な色彩の範囲である色域として第１の色域を有する機器であり、
前記第２の画像機器は、前記色域として、前記第１の色域とは異なる第２の色域を有する機器であり、
前記機能（Ａ）によって記憶される対応関係は、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付け、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより生成された対応関係であることを要旨とする。
【００２７】
また、上述した対応関係設定方法に対応する本願発明のプログラムは、
第１の画像機器による色再現を想定して生成された第１のカラー画像データを、第２の画像機器による色再現を想定した第２のカラー画像データに変換するために参照される対応関係を設定する方法を、コンピュータを用いて実現するためのプログラムであって、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付ける機能（ア）と、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより、前記対応関係を設定する機能（イ）と
をコンピュータを用いて実現することを要旨とする。
【００２８】
また、上記のプログラムに対応する本願発明の記録媒体は、
第１の画像機器による色再現を想定して生成された第１のカラー画像データを、第２の画像機器による色再現を想定した第２のカラー画像データに変換するために参照される対応関係を設定するプログラムを、コンピュータで読み取り可能に記録した記録媒体であって、
前記第１の画像機器は、表現可能な色彩の範囲である色域として第１の色域を有する機器であり、
前記第２の画像機器は、前記色域として、前記第１の色域とは異なる第２の色域を有する機器であり、
前記第１の色域を、該第１の色域および前記第２の色域を包含するように設定された第３の色域に拡張した後、該第３の色域を該第２の色域に圧縮することによって、該第１の色域に含まれる各色彩と該第２の色域の各色彩とを対応付ける機能（ア）と、
前記第１の色域に含まれる各色彩と前記第２の色域に含まれる各色彩との対応関係に従って、該第１の色域に含まれる色彩を表す前記第１のカラー画像データと、該第２の色域の色彩を表す前記第２のカラー画像データとを対応付けることにより、前記対応関係を設定する機能（イ）と
をコンピュータを用いて実現するプログラムを記録していることを要旨とする。
【００２９】
これらのプログラムをコンピュータに読み込んで、上記の各種機能を実現させれば、第１のカラー画像データを第２のカラー画像データに変換する際に、色域の違いを適切に吸収して、高画質なカラー画像を得ることが可能となる。
【発明を実施するための最良の形態】
【００３０】
以下では、上述した本願発明の内容を明確にするために、次のような順序に従って実施例を説明する。
Ａ．実施例の概要  ：
Ｂ．装置構成  ：
Ｂ−１．全体構成  ：
Ｂ−２．内部構成  ：
Ｂ−２−１．スキャナ部の内部構成  ：
Ｂ−２−２．プリンタ部の内部構成  ：
Ｃ．画像印刷処理の概要  ：
Ｄ．色変換テーブルの設定方法  ：
Ｄ−１．マッピングデータ生成処理  ：
Ｄ−２．格子点データ設定処理  ：
Ｅ．変形例  ：
【００３１】
Ａ．実施例の概要  ：
実施例の詳細な説明に入る前に、図１を参照しながら、実施例の概要について説明しておく。図１は、本実施例の画像データ変換装置を搭載した印刷装置１０の概要を示した説明図である。図示した印刷装置１０は、デジタルカメラ２０で撮影したカラー画像データやコンピュータ３０で作成したカラー画像データを受け取って、画像データを変換した後、印刷媒体Ｐ上にインク滴を吐出してインクドットを形成することによりカラー画像を印刷するいわゆるインクジェットプリンタである。
【００３２】
図示した印刷装置１０には、ＣＰＵやＲＡＭなどによって構成された画像データに所定の画像処理を施すデータ処理部や、印刷媒体Ｐ上にインク滴を吐出してドットを形成するインク吐出ヘッド１４などから構成されている。また、データ処理部は、その機能に着目すると「画像データ変換モジュール」、「対応関係記憶モジュール」、「ドット形成有無判断モジュール」、「ドット形成モジュール」などの各種モジュールから構成されていると見ることができる。
【００３３】
「画像データ変換モジュール」は、デジタルカメラ２０やコンピュータ３０などから受け取ったＲＧＢ画像データをＣＭＹＫ画像データに変換する。これは、デジタルカメラ２０やコンピュータ３０などの一般的な画像機器は、いわゆる光の三原色と呼ばれるＲ（赤色）、Ｇ（緑色）、Ｂ（青色）の３色を用いて色彩を表現しているのに対して、各種のプリンタは、インクの三原色と呼ばれるＣ（シアン色）、Ｍ（マゼンタ色）、Ｙ（イエロ色）の３色に、Ｋ（黒色）を加えた４色よって色彩を表現しているため、画像の印刷に先立って画像データのデータ形式を変換する必要があるからである。
【００３４】
加えて、このように色彩の表現方式が違うことに対応して、デジタルカメラ２０やコンピュータ３０などが表現可能な色彩の範囲（色域、あるいはガマット）と、印刷装置１０が表現可能な色彩の範囲との間にはズレが生じており、デジタルカメラ２０あるいはコンピュータ３０では表現可能な色彩であっても印刷装置１０では表現できない色彩が存在する。デジタルカメラ２０などから受け取ったカラー画像データの中にこのような色彩が含まれている場合には、これらの色彩を、印刷装置１０が表現可能な他の色彩に置き換えてやる必要がある。また逆に、デジタルカメラ２０やコンピュータ３０では表現できないが印刷装置１０では表現可能な色彩も存在する。そこで、デジタルカメラ２０などから受け取ったカラー画像データに含まれる色彩の一部を、このような色彩（すなわちデジタルカメラ２０などでは表現できないが印刷装置１０では表現可能な色彩）に置き換えてやれば、より好ましいカラー画像を印刷することができる。例えば、デジタルカメラ２０やコンピュータ３０は、カラー画像の中にこのような色彩が含まれていると表現可能な他の色彩に置き換えて、得られたカラー画像データを印刷装置１０に供給する。従って、印刷装置１０でカラー画像を印刷する際に、このような置き換えられた色彩については元の色彩に戻した状態で印刷すれば、より適切なカラー画像を印刷することが可能である。「画像データ変換モジュール」では、ＲＧＢ画像データをＣＭＹＫ画像データに変換する際に、このような色域（ガマット）の違いを吸収して、好ましいカラー画像が得られるようにするための処理（このような処理は、マッピングと呼ばれることがある）も行っている。
【００３５】
こうした画像データの変換は、「対応関係記憶モジュール」に予め記憶されている対応関係を参照することによって行われる。この対応関係には、ＲＧＢ画像データと、そのＲＧＢ画像データを変換すべきＣＭＹＫ画像データとが対応付けられた状態で記憶されている。これらＲＧＢ画像データとＣＭＹＫ画像データとは、原則的には同じ色彩を表す画像データが対応付けられているが、上述したように、ＲＧＢ画像データとＣＭＹＫ画像データとは色域がずれているため、色域のずれも適切に吸収できるような状態で対応付けられている。「画像データ変換モジュール」は「対応関係記憶モジュール」に記憶されている対応関係を参照しながらＲＧＢ画像データをＣＭＹＫ画像データに変換していることから、これら２つのモジュールを一体として、画像データ変換装置１２と把握することも可能である。
【００３６】
「画像データ変換モジュール」は、ＲＧＢ画像データをＣＭＹＫ画像データに変換すると、「ドット形成有無判断モジュール」に供給する。「ドット形成有無判断モジュール」は、ＣＭＹＫ画像データに基づいて、画像を構成する各画素にドットを形成するか否かを、Ｃ，Ｍ，Ｙ，Ｋの各色について判断する。そして、判断結果を「ドット形成モジュール」に出力する。「ドット形成モジュール」は、「ドット形成有無判断モジュール」から受け取ったＣＭＹＫ各色のドットを形成するか否かの判断結果に基づいて、インク吐出ヘッド１４を駆動してインク滴を吐出する。その結果、印刷媒体Ｐには、各色のインクドットが形成されてカラー画像が印刷される。
【００３７】
ここで、上述した「対応関係記憶モジュール」に記憶されている対応関係は、次のようにして設定されている。先ず、デジタルカメラ２０やコンピュータ３０などが表現可能なＲＧＢ画像データによる色域（図１中では、ＲＧＢによる色域と表示）と、印刷装置１０が表現可能なＣＭＹＫ画像データによる色域（図１中では、ＣＭＹＫによる色域と表示）とを包含するような第３の色域を設定する。図１中では、このような第３の色域は一点鎖線で示されている。次いで、図１中に実線で示したＲＧＢによる色域内のデータを、第３の色域内のデータに拡張して変換するような写像を行った後、第３の色域内のデータを図１中に破線で示したＣＭＹＫによる色域内のデータに圧縮するような写像を行う。結局、図中に実線で示したＲＧＢによる色域が、一点鎖線で示した第３の色域を経由して、破線で示したＣＭＹＫによる色域に変換されたことになる。
【００３８】
一般に、第３の色域を経由することなく、ＲＧＢによる色域をＣＭＹＫによる色域に直接変換しようとすると、色域を拡張する領域と圧縮する領域とが混在するため、色域内のデータを他の色域内に写像する際の制約が大きくなるが、これに対して第３の色域を経由する場合は、色域の拡張と圧縮とが混在することがないので、写像時に大きな制約を受けることがない。従って、ＲＧＢによる色域とＣＭＹＫによる色域とが重なっている領域ではできるだけ元の色彩を保ったまま、尚且つ色域のずれも適切に吸収できるような色域の変換を行う場合にも、写像時の制約が少ない分だけ、適切なマッピングを容易に実現することが可能となる。以下では、このようなマッピングを行って画像データを変換する印刷装置１０について、実施例を用いて詳しく説明する。
【００３９】
Ｂ．装置構成  ：
Ｂ−１．全体構成  ：
図２は、本実施例の印刷装置１０の外観形状を示す斜視図である。図示されるように、本実施例の印刷装置１０は、スキャナ部１００と、プリンタ部２００と、スキャナ部１００およびプリンタ部２００の動作を設定するための操作パネル３００などから構成されている。スキャナ部１００は、印刷画像を読み込んでカラー画像データを生成するスキャナ機能を有しており、プリンタ部２００は、カラー画像データを受け取って印刷媒体上に画像を印刷するプリンタ機能を有している。また、スキャナ部１００で読み取ったカラー画像をプリンタ部２００から出力すれば、コピー機能を実現することも可能である。すなわち、本実施例の印刷装置１０は、単独でスキャナ機能、プリンタ機能、コピー機能を実現可能な、いわゆるスキャナ・プリンタ・コピー複合装置（以下、ＳＰＣ複合装置という）となっている。
【００４０】
図３は、印刷画像を読み込むために、印刷装置１０の上部に設けられた原稿台カバー１０２を開いた様子を示す説明図である。図示されているように、原稿台カバー１０２を上に開くと、透明な原稿台ガラス１０４が設けられており、その内部には、スキャナ機能を実現するための後述する各種機構が搭載されている。印刷画像を読み込む際には、図示されているように原稿台カバー１０２を開いて原稿台ガラス１０４の上に印刷画像を置き、原稿台カバー１０２を閉じてから操作パネル３００上のボタンを操作する。こうすれば、印刷画像を直ちにカラー画像データに変換することができる。
【００４１】
また、スキャナ部１００は全体が一体のケース内に収納された構成となっており、スキャナ部１００とプリンタ部２００とは、印刷装置１０の背面側でヒンジ機構２０４（図４参照）によって結合されている。このため、スキャナ部１００の手前側を持ち上げることにより、ヒンジの部分でスキャナ部１００のみを回転させることが可能となっている。
【００４２】
図４は、スキャナ部１００の手前側を持ち上げて回転させた様子を示した斜視図である。図示するように、本実施例の印刷装置１０では、スキャナ部１００の手前側を持ち上げることで、プリンタ部２００の上面を露出させることが可能である。プリンタ部２００の内部には、プリンタ機能を実現するための後述する各種機構や、スキャナ部１００を含めて印刷装置１０全体の動作を制御するための後述する制御回路２６０、更には、スキャナ部１００やプリンタ部２００などに電力を供給するための電源回路（図示は省略）なども設けられている。また、図４に示されているように、プリンタ部２００の上面には、開口部２０２が設けられており、インクカートリッジなどの消耗品の交換や、紙詰まりの処理、軽微な修理などを簡便に行うことが可能となっている。
【００４３】
Ｂ−２．内部構成  ：
図５は、本実施例の印刷装置１０の内部構成を概念的に示した説明図である。前述したように、印刷装置１０にはスキャナ部１００とプリンタ部２００とが設けられており、スキャナ部１００の内部にはスキャナ機能を実現するための各種構成が搭載され、プリンタ部２００の内部にはプリンタ機能を実現するための各種構成が搭載されている。以下では、初めにスキャナ部１００の内部構成について説明し、次いでプリンタ部２００の内部構成について説明する。
【００４４】
Ｂ−２−１．スキャナ部の内部構成  ：
スキャナ部１００は、印刷画像をセットする透明な原稿台ガラス１０４と、セットされた印刷画像を押さえておくための原稿台カバー１０２と、セットされた印刷画像を読み込む読取キャリッジ１１０と、読取キャリッジ１１０を読取方向（主走査方向）に移動させる駆動ベルト１２０と、駆動ベルト１２０に動力を供給する駆動モータ１２２と、読取キャリッジ１１０の動きをガイドするガイド軸１０６などから構成されている。また、駆動モータ１２２や読取キャリッジ１１０の動作は、後述する制御回路２６０によって制御されている。
【００４５】
制御回路２６０の制御の元で駆動モータ１２２を回転させると、駆動ベルト１２０を介してその動きが読取キャリッジ１１０に伝達され、その結果、読取キャリッジ１１０は、ガイド軸１０６に導かれながら駆動モータ１２２の回転角度に応じて読取方向（主走査方向）に移動するようになっている。また、駆動ベルト１２０は、アイドラプーリ１２４によって絶えず適度に張った状態に調整されており、このため、駆動モータ１２２を逆回転させれば回転角度に応じた距離だけ読取キャリッジ１１０を逆方向に移動させることも可能となっている。
【００４６】
読取キャリッジ１１０の内部には、光源１１２や、レンズ１１４、ミラー１１６、ＣＣＤセンサ１１８などが搭載されている。光源１１２からの光は原稿台ガラス１０４に照射され、原稿台ガラス１０４の上にセットされた印刷画像で反射する。この反射光は、ミラー１１６によってレンズ１１４に導かれ、レンズ１１４によって集光されてＣＣＤセンサ１１８で検出される。ＣＣＤセンサ１１８は、光の強度を電気信号に変換するフォトダイオードが、読取キャリッジ１１０の移動方向（主走査方向）と直交する方向に列状に配置されたリニアセンサによって構成されている。このため、読取キャリッジ１１０を主走査方向に移動させながら、光源１１２の光を印刷画像に照射し、ＣＣＤ１１８によって反射光強度を検出すれば、印刷画像を電気信号に変換することができる。
【００４７】
また、光源１１２は、ＲＧＢの３色の発光ダイオードによって構成されており、所定の周期でＲ色、Ｇ色、Ｂ色の光を順次、照射することが可能となっており、これに応じてＣＣＤ１１８では、Ｒ色、Ｇ色、Ｂ色の反射光が順次、検出されることになる。一般に、画像の赤色の部分はＲ色の光を反射するが、Ｇ色やＢ色の光はほとんど反射しないから、Ｒ色の反射光は画像のＲ成分を表したものとなっている。同様に、Ｇ色の反射光は画像のＧ成分を表しており、Ｂ色の反射光は画像のＢ成分を表している。従って、ＲＧＢ３色の光を所定の周期で切り替えながら印刷画像に照射し、これに同期してＣＣＤ１１８で反射光強度を検出すれば、印刷画像のＲ成分、Ｇ成分、Ｂ成分を検出することができ、カラー画像を読み込むことが可能となっている。尚、光源１１２が照射する光の色を切り替えている間も読取キャリッジ１１０は移動しているから、ＲＧＢの各成分を検出する画像の位置は、厳密には、読取キャリッジ１１０の移動量に相当する分だけ異なっているが、このずれは、各成分を読み込んだ後に、画像処理によって補正することが可能である。
【００４８】
Ｂ−２−２．プリンタ部の内部構成  ：
次に、プリンタ部２００の内部構成について説明する。プリンタ部２００には、印刷装置１０の全体の動作を制御する制御回路２６０と、印刷媒体上に画像を印刷するための印刷キャリッジ２４０と、印刷キャリッジ２４０を主走査方向に移動させる機構と、印刷媒体の紙送りを行うための機構などが搭載されている。
【００４９】
印刷キャリッジ２４０は、Ｋインクを収納するインクカートリッジ２４２と、Ｃインク，Ｍインク，Ｙインクの各種インクを収納するインクカートリッジ２４３と、底面側に設けられた印字ヘッド２４１などから構成されており、印字ヘッド２４１には、インク滴を吐出するインク吐出ヘッドがインク毎に設けられている。印刷キャリッジ２４０にインクカートリッジ２４２，２４３を装着すると、カートリッジ内の各インクは図示しない導入管を通じて、各色毎のインク吐出ヘッド２４４ないし２４７に供給される。尚、図５に示したプリンタ部２００では、Ｃインク，Ｍインク，Ｙインクについては一つのインクカートリッジ２４３に一体に収納されているものとして説明したが、これらインクをそれぞれ別体に形成された専用のインクカートリッジに収納することも可能である。また、これらインクに加えて、濃度の低いＣインク（ＬＣインク）や、濃度の低いＭインク（ＬＭインク）、濃度の低いＫインク（ＬＫインク）、更には赤色インク（Ｒインク）、紫色インク（Ｖインク）、オレンジ色インク（Ｏインク）などを搭載することも可能である。
【００５０】
印刷キャリッジ２４０を主走査方向に移動させる機構は、印刷キャリッジ２４０を駆動するためのキャリッジベルト２３１と、キャリッジベルト２３１に動力を供給するキャリッジモータ２３０と、キャリッジベルト２３１に絶えず適度な張力を付与しておくための張力プーリ２３２と、印刷キャリッジ２４０の動きをガイドするキャリッジガイド２３３と、印刷キャリッジ２４０の原点位置を検出する原点位置センサ２３４などから構成されている。後述する制御回路２６０の制御の下でキャリッジモータ２３０を回転させると、回転角度に応じた距離だけ印刷キャリッジ２４０を主走査方向に移動させることが可能である。また、キャリッジモータ２３０を逆回転させれば、印刷キャリッジ２４０を逆方向に移動させることも可能となっている。
【００５１】
印刷媒体の紙送りを行うための機構は、印刷媒体を裏面側から支えるプラテン２３６と、プラテン２３６を回転させて紙送りを行う紙送りモータ２３５などから構成されている。後述する制御回路２６０の制御の元で紙送りモータ２３５を回転させれば、回転角度に応じた距離だけ印刷媒体を副走査方向に紙送りすることが可能となっている。
【００５２】
制御回路２６０は、ＣＰＵを中心として、ＲＯＭや、ＲＡＭ、デジタルデータをアナログ信号に変換するＤ／Ａ変換器、更には、周辺機器との間でデータのやり取りを行うための周辺機器インターフェースＰＩＦなどから構成されている。制御回路２６０は、スキャナ部１００、プリンタ部２００、操作パネル３００を含めた印刷装置１０全体の動作を制御しており、スキャナ部１００に搭載された光源１１２や、駆動モータ１２２、ＣＣＤ１１８とデータをやり取りしながら、これらの動作を制御している。
【００５３】
また、キャリッジモータ２３０および紙送りモータ２３５を駆動して印刷キャリッジ２４０の主走査および副走査を行いながら、各色のインク吐出ヘッド２４４ないし２４９に駆動信号を供給してインク滴を吐出させる制御も行っている。インク吐出ヘッド２４４ないし２４９に供給する駆動信号は、コンピュータ２０やデジタルカメラ３０などからカラー画像データを読み込んで、後述する画像処理を行うことによって生成する。もちろん、スキャナ部１００で読み込んだカラー画像データに画像処理を施すことにより、駆動信号を生成することも可能である。こうして制御回路２６０の制御の元で、印刷キャリッジ２４０を主走査および副走査させながら、インク吐出ヘッド２４４ないし２４７からインク滴を吐出して印刷媒体上に各色のインクドットを形成することによって、カラー画像を印刷することが可能となっている。もちろん、制御回路２６０内で画像処理を行うのではなく、画像処理が施されたデータをコンピュータ２０から受け取って、このデータに従って印刷キャリッジ２４０の主走査および副走査を行いながらインク吐出ヘッド２４４ないし２４７を駆動することも可能である。
【００５４】
また、制御回路２６０は、操作パネル３００ともデータをやり取り可能に接続されており、操作パネル３００上に設けられた各種のボタンを操作することにより、スキャナ機能や、プリンタ機能の詳細な動作モードを設定することが可能となっている。更には、コンピュータ２０から、周辺機器インターフェースＰＩＦを介して詳細な動作モードを設定することも可能である。
【００５５】
図６は、各色のインク吐出ヘッド２４４ないし２４７に、インク滴を吐出する複数のノズルＮｚが形成されている様子を示した説明図である。図示するように、各色のインク吐出ヘッドの底面には、各色のインク滴を吐出する６組のノズル列が形成されており、１組のノズル列には、４８個のノズルＮｚがノズルピッチｋの間隔を空けて千鳥状に配列されている。制御回路２６０からは、これらノズルＮｚのそれぞれに駆動信号が供給され、各ノズルＮｚは駆動信号に従って、それぞれのインクによるインク滴を吐出する。
【００５６】
尚、インク吐出ヘッドからインク滴を吐出する方法には、種々の方法を適用することができる。すなわち、ピエゾ素子を用いてインクを吐出する方式や、インク通路に配置したヒータでインク通路内に泡（バブル）を発生させてインク滴を吐出する方法などを用いることができる。また、インクを吐出する代わりに、熱転写などの現象を利用して印刷用紙上にインクドットを形成する方式や、静電気を利用して各色のトナー粉を印刷媒体上に付着させる方式のプリンタを使用することも可能である。
【００５７】
Ｃ．画像印刷処理の概要  ：
上述したように、プリンタ部２００で所望の画像を印刷するためには、カラー画像データに適切な画像処理を施して各ノズルに対する駆動信号を生成し、駆動信号に基づいてドットを形成する必要がある。以下では、かかる処理（画像印刷処理）の概要について説明する。尚、本実施例の印刷装置１０では、プリンタ部２００に組み込まれた制御回路２６０内で画像処理を行うが、外部に設けられたコンピュータ２０で画像処理を行い、処理済みのデータを周辺機器インターフェースＰＩＦから読み込んで、ドットを形成することも可能である。
【００５８】
図７は、カラー画像データを読み込んで画像を印刷する画像印刷処理の流れを示すフローチャートである。以下、フローチャートに従って説明する。画像印刷処理を開始すると、制御回路２６０は先ず初めに、印刷しようとする画像のカラー画像データの読み込みを行う（ステップＳ１００）。ここでは、カラー画像データはＲ，Ｇ，Ｂ各色の階調値によって表現されたＲＧＢ画像データである。
【００５９】
次いで、読み込んだカラー画像データの解像度を、プリンタ部２００が印刷するための解像度（印刷解像度）に変換する処理を行う（ステップＳ１０２）。読み込んだカラー画像データの解像度が印刷解像度よりも低い場合は、隣接する画素の間に補間演算を行って新たな画像データを設定することで、より高い解像度に変換する。逆に、読み込んだカラー画像データの解像度が印刷解像度よりも高い場合は、隣接する画素の間から一定の割合で画像データを間引くことによって、より低い解像度に変換する。解像度変換処理では、読み込んだカラー画像データに対して適切な割合で画像データを生成あるいは間引くことによって、読み込んだカラー画像データの解像度を印刷解像度に変換する処理を行う。
【００６０】
こうしてカラー画像データの解像度を印刷解像度に変換したら、制御回路２６０は色変換処理を開始する（ステップＳ１０４）。色変換処理とは、Ｒ，Ｇ，Ｂの階調値の組合せによって表現されているＲＧＢ画像データを、プリンタに搭載された各色インクの使用量に対応するデータに変換する処理である。前述したように、プリンタ部２００では、Ｃ，Ｍ，Ｙ，Ｋの４色のインクを用いて画像を印刷しているから、本実施例の色変換処理では、ＲＧＢ画像データを、Ｃ，Ｍ，Ｙ，Ｋの各色インクの使用量に対応する階調値のデータ（ＣＭＹＫ画像データ）に変換する処理を行う。もちろん、Ｃ，Ｍ，Ｙ，Ｋの４色に加えて、濃度の薄いＣインク（ＬＣインク）や、濃度の薄いＭインク（ＬＭインク）、あるいは濃度の薄いＫインク（ＬＫインク）などが搭載されている場合には、ＲＧＢ画像データを、これら淡インクを加えた各色のインク使用量に対応する階調値のデータに変換することとしても良い。
【００６１】
また、前述したように、ＲＧＢの各色を用いて色彩を表現するＲＧＢ画像データと、ＣＭＹＫ各色を用いて色彩を表現するＣＭＹＫ画像データとは、表現可能な色彩の範囲（色域）が異なっている。このため、こうした色域の違いを吸収するためのマッピングと呼ばれる処理も、ＲＧＢ画像データをＣＭＹＫ画像データに変換するための色変換処理と同時に行われる。
【００６２】
色変換処理は、色変換テーブル（ＬＵＴ）と呼ばれる３次元の数表を参照することによって行われる。図８は、色変換処理のために参照される色変換テーブル（ＬＵＴ）を概念的に示した説明図である。今、ＲＧＢ各色の階調値が０〜２５５の値を取り得るものとして、図８に示すように直交する３軸にＲ，Ｇ，Ｂ各色の階調値を取った色空間を考える。すると、全てのＲＧＢ画像データは、原点を頂点として一辺の長さが２５５の立方体（色立体）の内部の点に対応付けることができる。このことから、見方を変えて、色立体をＲＧＢ各軸に直角に格子状に細分して色空間内に複数の格子点を生成すると、各格子点は、それぞれがＲＧＢ画像データに対応していると考えることができる。そこで、各格子点に、Ｃ，Ｍ，Ｙ，Ｋなどの各色インクの使用量に対応する階調値の組合せを予め記憶しておく。こうすれば、格子点に記憶されている階調値を読み出すことによって、ＲＧＢ画像データを、各色インクの使用量に対応するデータ（ＣＭＹＫ画像データ）に迅速に変換することが可能となる。
【００６３】
例えば、画像データのＲ成分がＲＡ、Ｇ成分がＧＡ、Ｂ成分がＢＡであったとすると、この画像データは、色空間内のＡ点に対応づけられる（図８参照）。そこで、色立体を格子状に細分する小さな立方体の中から、Ａ点を内包する立方体ｄＶを検出し、この立方体ｄＶの各格子点に記憶されている各色インクの階調値を読み出してやる。そして、これら各格子点の階調値から補間演算すればＡ点での階調値を求めることができる。以上に説明したように、色変換テーブルＬＵＴとは、ＲＧＢ各色の階調値の組合せで示される各格子点に、Ｃ，Ｍ，Ｙ，Ｋなどの各色インクの使用量に対応する階調値の組合せ（ＣＭＹＫ画像データ）を記憶した３次元の数表と考えることができ、色変換テーブルを参照すれば、ＲＧＢ画像データをＣＭＹＫ画像データに、迅速に色変換することが可能となる。
【００６４】
尚、実際には、色変換テーブルの各格子点に設定されるＣＭＹＫ画像データは、単に、色彩の表現方式を、ＲＧＢ各色による表現方法からＣＭＹＫ各色による表現方法に変換するだけに止まらず、ＲＧＢ画像データとＣＭＹＫ画像データとの間の色域の違いを吸収するような画像データとなっている。そして、本実施例の色変換テーブルは、後述する方法によって設定されているため、色域の違いを適切に吸収しながら色変換処理を行うことができ、延いては高画質なカラー画像を印刷することが可能となっている。
【００６５】
図７に示されているように画像印刷処理では、以上のように色変換テーブルを参照して色変換処理を行うと、続いてハーフトーン処理を行う（ステップＳ１０６）。ハーフトーン処理とは、次のような処理である。色変換処理によって得られたＣＭＹＫ各色のインク使用量に対応する階調データ（ＣＭＹＫ画像データ）は、画素毎に、階調値０から階調値２５５までの値を取り得るデータである。これに対してプリンタ部２００では、ドットを形成することによって画像を表示しているから、それぞれの画素についてはドットを形成するか否かの状態しか取り得ない。そこで、２５６階調を有するＣＭＹＫ画像データを、画素毎にドット形成の有無を表したデータ（ドットデータ）に変換しておく必要がある。ハーフトーン処理とは、このようにＣＭＹＫ画像データをドットデータに変換する処理である。
【００６６】
ハーフトーン処理を行う手法としては、誤差拡散法やディザ法などの種々の手法を適用することができる。誤差拡散法は、ある画素についてドットの形成有無を判断したことでその画素に発生する階調表現の誤差を、周辺の画素に拡散するとともに、周囲から拡散されてきた誤差を解消するように、各画素についてのドット形成の有無を判断していく手法である。また、ディザ法は、ディザマトリックスにランダムに設定されている閾値とＣＭＹＫ画像データとを画素毎に比較して、ＣＭＹＫ画像データの方が大きい画素にはドットを形成すると判断し、逆に閾値の方が大きい画素についてはドットを形成しないと判断することで、各画素についてのドットデータを得る手法である。
【００６７】
図９は、ディザマトリックスの一部を拡大して例示した説明図である。図示したマトリックスには、縦横それぞれ６４画素、合計４０９６個の画素に、階調値０〜２５５の範囲から万遍なく選択された閾値がランダムに記憶されている。ここで、閾値の階調値が０〜２５５の範囲から選択されているのは、本実施例ではＣＭＹＫ画像データが１バイトデータであり、階調値が０〜２５５の値を取り得ることに対応するものである。尚、ディザマトリックスの大きさは、図９に例示したように縦横６４画素分に限られるものではなく、縦と横の画素数が異なるものも含めて、種々の大きさに設定することが可能である。
【００６８】
図１０は、ディザマトリックスを参照しながら、画素毎にドット形成の有無を判断している様子を概念的に示した説明図である。尚、かかる判断は、ＣＭＹＫの各色について行われるが、以下では説明が煩雑となることを避けるために、ＣＭＹＫ画像データの各色を区別することなく、単に画像データと称するものとする。
【００６９】
ドット形成有無の判断に際しては、先ず、判断の対象として着目している画素（着目画素）についての画像データの階調値と、ディザマトリックス中の対応する位置に記憶されている閾値とを比較する。図中に示した細い破線の矢印は、着目画素の画像データを、ディザマトリックス中の対応する位置に記憶されている閾値と比較していることを模式的に表したものである。そして、ディザマトリックスの閾値よりも着目画素の画像データの方が大きい場合には、その画素にはドットを形成するものと判断する。逆に、ディザマトリックスの閾値の方が大きい場合には、その画素にはドットを形成しないものと判断する。図１０に示した例では、画像の左上隅にある画素の画像データは「９７」であり、ディザマトリックス上でこの画素に対応する位置に記憶されている閾値は「１」である。従って、左上隅の画素については、画像データの方がディザマトリックスの閾値よりも大きいから、この画素にはドットを形成すると判断する。図１０中に実線で示した矢印は、この画素にはドットを形成すると判断して、判断結果をメモリに書き込んでいる様子を模式的に表したものである。一方、この画素の右隣の画素については、画像データは「９７」、ディザマトリックスの閾値は「１７７」であり、閾値の方が大きいので、この画素についてはドットを形成しないものと判断する。このように、画像データとディザマトリックスに設定された閾値とを比較することにより、ドットの形成有無を画素毎に決定することができる。ハーフトーン処理（図７のステップＳ１０６）では、Ｃ，Ｍ，Ｙ，Ｋの各インクの使用量に対応する階調データ（ＣＭＹＫ画像データ）に対して上述したディザ法を適用することにより、画素毎にドット形成の有無を判断してドットデータを生成する処理を行う。
【００７０】
図７に示した画像印刷処理のステップＳ１０６では、色変換によって得られたＣＭＹＫ画像データに対して上述した処理を施することにより、画素毎にドットについての形成有無を表したドットデータを生成する処理を行う。
【００７１】
以上のようにして、ＣＭＹＫ画像データをドットデータに変換したら、今度は、インターレース処理を開始する（図７のステップＳ１０８）。インターレース処理とは、印字ヘッド２４１がドットを形成する順序でドットデータを並び替えて、各色のインク吐出ヘッド２４４ないし２４７に供給する処理である。すなわち、図６に示したように、インク吐出ヘッド２４４ないし２４７に設けられたノズルＮｚは副走査方向にノズルピッチｋの間隔を空けて設けられているから、印刷キャリッジ２４０を主走査させながらインク滴を吐出すると、副走査方向にノズルピッチｋの間隔を空けてドットが形成されてしまう。そこで全画素にドットを形成するためには、印刷キャリッジ２４０と印刷媒体との相対位置を副走査方向に移動させて、ノズルピッチｋだけ隔たったドット間の画素に新たなドットを形成することが必要となる。このように、実際に画像を印刷する場合には、画像上で上方にある画素から順番にドットを形成しているわけではない。更に、主走査方向に同じ列にある画素についても、一回の主走査でドットを形成するのではなく、画質上の要請から、複数回の主走査に分けてドットを形成することとして、各回の主走査では飛び飛びの位置の画素にドットを形成することも広く行われている。
【００７２】
このように、実際に画像を印刷する場合には、画像上で画素の並びの順番に従ってドットを形成しているわけではない。そこで、実際にドットの形成を開始する前に、Ｃ，Ｍ，Ｙ，Ｋの各色について得られたドットデータを、インク吐出ヘッド２４４ないし２４７がドットを形成する順番に並び替えておく。このような処理が、インターレースと呼ばれる処理である。
【００７３】
図７に示した画像印刷処理では、インターレース処理を終了すると、インターレース処理によって得られたデータに基づいて、印刷媒体上に実際にドットを形成する処理（ドット形成処理）を開始する（ステップＳ１１０）。すなわち、キャリッジモータ２３０を駆動して印刷キャリッジ２４０を主走査させながら、順番を並び替えておいたドットデータをインク吐出ヘッド２４４ないし２４７に供給する。前述したようにドットデータは、各画素にドットを形成するか否かを表したデータであるから、インク吐出ヘッド２４４ないし２４７は、ドットデータに従ってインク滴を吐出すれば、各画素に適切にインクドットを形成することができる。
【００７４】
そして、一回の主走査が終了したら、今度は、紙送りモータ２３５を駆動して印刷媒体を副走査方向に紙送りした後、再びキャリッジモータ２３０を駆動して印刷キャリッジ２４０を主走査させつつ、順番を並べ替えておいたドットデータをインク吐出ヘッド２４４ないし２４７に供給してドットを形成する。このような操作を繰り返し行うことにより、印刷媒体上には、Ｃ，Ｍ，Ｙ，Ｋの各色のドットが画像データの階調値に応じて適切な分布で形成されて、画像が得られることになる。
【００７５】
また、本実施例の印刷装置１０では、後述する方法によって設定された色変換テーブルを用いて色変換処理を行っているため、ＲＧＢ画像データの色域（すなわち、ＲＧＢ画像データを生成したデジタルカメラ２０やコンピュータ３０のカラーディスプレイなどの色域）と、ＣＭＹＫ画像データの色域（印刷装置１０の色域）との違いを適切に吸収して、高画質なカラー画像を印刷することが可能となっている。以下では、本実施例の色変換処理で参照される色変換テーブルの設定方法に付いて説明する。
【００７６】
Ｄ．色変換テーブルの設定方法  ：
図１１は、本実施例の色変換処理で参照される色変換テーブルを設定する処理の流れを示したフローチャートである。図示されるように、色変換テーブルを設定する処理は、大きくは、マッピングデータを生成する処理（ステップＳ２００）と、格子点データを設定する処理（ステップＳ３００）とによって構成されている。このうちのマッピングデータを生成する処理とは、ＲＧＢ画像データとＣＭＹＫ画像データとの色域の違いを吸収するために、ＲＧＢ画像データの表す色彩とＣＭＹＫ画像データの表す色彩とを対応付けたデータ（マッピングデータ）を生成する処理である。換言すれば、マッピングデータ生成処理とは、ＲＧＢ画像データとＣＭＹＫ画像データとの色域の違いを吸収するために、ＲＧＢ画像データで表現された色彩を、ＣＭＹＫ画像データでは何れの色彩で表現すればよいかを決定する処理であると考えることもできる。また、格子点データを生成する処理とは、色変換テーブルの各格子点に設定されるＣＭＹＫ画像データを、マッピングデータに従って決定する処理である。以下、初めにマッピングデータ生成処理について説明し、次いで、マッピングデータに従って格子点データを設定する処理（格子点データ設定処理）について説明する。
【００７７】
Ｄ−１．マッピングデータ生成処理  ：
図１２は、マッピングデータ生成処理の流れを示すフローチャートである。処理を開始すると、先ず初めに、処理の対象とする基本色相を１つ選択する（ステップＳ２０２）。これは、次のような処理である。先ず、光の三原色と呼ばれるＲ，Ｇ，Ｂの３色を考える。これら３色は互いに独立な関係にあり、何れか２つの色を混ぜ合わせても残りの１つの色を作ることはできないが、残りの色とは補色の関係にある色を作ることができる。例えば、ＲとＢとをどのような比率で混合してもＧを作ることはできないが、ＲとＢとを同じ比率で混合すれば、Ｇと補色の関係にあるＭを得ることができる。同様に、ＲとＧとを混合してもＢを作ることはできないが、同じ比率で混合すればＢの補色であるＹを作ることができる。また、ＧとＢとを同じ比率で混合すれば、Ｒの補色であるＣを得ることができる。更に、このようにして得られたＣ，Ｍ，Ｙを混合すれば、Ｒ，Ｇ，Ｂの各色を作ることができる。例えば、ＣとＭとを同じ比率で混合すればＢを得ることができ、ＭとＹとを同じ比率で混合すればＲを得ることができ、ＣとＹとを同じ比率で混合すればＧを得ることができる。
【００７８】
このような関係から、色相は循環する性質を有していると考えることができる。すなわち、図１３（ａ）に示すように、全周３６０度を６０度ずつ６つの方向に分割し、各方向にＹ，Ｒ，Ｍ，Ｂ，Ｃ，Ｇの６つの色相が、この順番で割り当てられていると考えることができる。このような表現によれば、色相の違いは方向の違い（すなわち角度の違い）によって表すことができ、色の鮮やかさは原点Ｏからの距離によって表すことができる。また、原点Ｏは無彩色（Ｗすなわち白、またはＫすなわち黒）を表しており、原点Ｏに中心軸を立てて、この軸の座標が明度を表すことにすれば、軸上の座標値０の点は最も暗い無彩色であるＫ（黒）を表し、軸上で上限の座標値を取る点は最も明るい無彩色であるＷ（白）を表していると考えることができる。結局、円柱座標を考えて、円柱座標の中心軸に明度を取り、円柱座標の角度に色相を取り、中心軸からの距離に彩度を取れば、全ての色彩は円柱座標の座標値によって表すことが可能となる。図１２のマッピングデータ生成処理のステップＳ２０２で選択する基本色相とは、上述した円柱座標によって色彩を表したときの、図１３（ａ）に示す６つの色相、すなわち、Ｙ，Ｒ，Ｍ，Ｂ，Ｃ，Ｇの各色相を言う。そして、図１２のステップＳ２０２では、これら６つの基本色相の中から、何れか１つの色相を選択する。
【００７９】
次いで、選択した色相での、入力側の色域を取得する（ステップＳ２０４）。これは次のような処理である。一般に、カラーディスプレイやカラープリンタには、それぞれに表現可能な色彩の範囲（色域）が存在している。図１３（ａ）に示した実線は、明度軸方向（円柱座標の中心軸に沿った方向）から見たときの、カラーディスプレイの色域を概念的に表したものであり、図中に示した破線は、明度軸方向から見たときのカラープリンタの色域を概念的に表したものである。図１３（ａ）に示されているように、カラーディスプレイやカラープリンタの色域は色相毎に異なったものとなっている。
【００８０】
また、カラーディスプレイでは、ＲＧＢの色光を用いて色彩を表現している関係上、高彩度の色彩を表現しようとすると色光の強度を強くすることになり、その結果、明度も高くなる。従って、カラーディスプレイの色域は、明度の高い領域で高彩度まで広がる傾向にある。一方、カラープリンタでは、ＣＭＹの色インクを用いて色彩を表現している関係上、高彩度の色彩を表現しようとするとインクの使用量が多くなり、その結果、明度が低くなる。従って、カラープリンタの色域は、明度の低い領域で高彩度まで広がる傾向にある。このように、カラーディスプレイやカラープリンタの色域は、色相だけでなく、明度によっても異なったものとなっている。図１３（ｂ）は、Ｒ方向を示す角度で断面を取ることにより、カラーディスプレイの色域とカラープリンタの色域との違いを示した説明図である。また、図１３（ｃ）は、Ｃ方向の角度で断面を取って、色域の違いを示した説明図である。
【００８１】
このように、カラーディスプレイの色域やカラープリンタの色域は、色相の方向および明度によって異なっているので、図１２のステップＳ２０４では、先に基本色相として選択した色相における入力側の色域を示すデータを読み込む処理を行う。ここで、入力側の色域とは、カラー画像データを入力する側の画像機器（本実施例では、デジタルカメラ２０や、コンピュータ３０で用いられているカラーディスプレイ）の色域のことである。また、ある色相での色域を示すデータは、図１３（ｂ）または図１３（ｃ）に例示されているように、それぞれの明度Ｌ＊に対する彩度Ｃ＊の値として表されている。尚、彩度Ｃ＊は、Ｌａｂ表色系で用いられるａ＊、ｂ＊の二乗平均値である。このような色域を示すデータは、実験的な手法によって予め調べられている。ステップＳ２０４では、このようなデータを読み込んでやればよい。
【００８２】
次いで、先に基本色相として選択した色相についても、出力側の色域のデータを取得する（ステップＳ２０６）。ここで、出力側の色域とは、カラープリンタの色域のことであり、カラープリンタの色域のデータについても、実験的な手法によって調べられて予め記憶されている。
【００８３】
こうして、入力側の色域のデータと出力側の色域のデータとを読み込んだら、これら色域を包含するようなマッピング用の色域を設定する処理を行う（ステップＳ２０８）。ここでは、予め候補として幾つか設定されている色域の中から、入力側の色域および出力側の色域を包含する色域を選択することによって、マッピング用の色域を設定するものとする。
【００８４】
図１４は、マッピング用の色域を設定している様子を概念的に示した説明図である。図中に実線で示した色域は、入力側の色域（ディスプレイの色域）であり、破線で示した色域は、出力側の色域（プリンタの色域）である。また、図中に一点鎖線で示した３つの色域は、マッピング用色域の候補として予め設定されている色域である。マッピング用色域を設定するに際しては、用意されている候補の色域の中で最も狭い色域である色域Ａを選択し、色域Ａが、入力側の色域および出力側の色域を包含しているか否かを判断する。かかる判断は、各明度Ｌ＊における彩度Ｃ＊を比較することによって容易に実行することができる。すなわち、ある明度Ｌ＊における入力側の色域の最大彩度値をＣ＊inとし、出力側の色域の最大彩度値をＣ＊out とし、候補の色域Ａの最大彩度値をＣ＊cndAとすると、全ての明度Ｌ＊において、Ｃ＊cndA  ＞  Ｃ＊in、且つ、Ｃ＊cndA  ＞  Ｃ＊out が成立するか否かを判断すればよい。
【００８５】
図１４に示した例では、候補の色域Ａが表現可能な最大彩度値は、入力側の色域（ディスプレイの色域）あるいは出力側の色域（プリンタの色域）が表現可能な最大彩度値よりも、全ての明度Ｌ＊で大きいわけではない。そこで、このような場合は、候補の色域Ａよりも一段階大きな色域である色域Ｂを選択し、この色域Ｂについて、入力側の色域および出力側の色域を包含しているか否かを、同様な方法によって判断する。そして、この色域についても、入力側および出力側の２つの色域を包含していないと判断された場合には、もう一段階大きな色域を選択して、同様な判断を行えばよい。図１４に示した例では、候補の色域Ｂは、入力側の色域（ディスプレイの色域）および出力側の色域（プリンタの色域）を包含しているので、この色域Ｂをマッピング用色域として設定する。
【００８６】
図１２のステップＳ２０８では、このようにして、予め複数用意されている候補の色域の中から、入力側の色域および出力側の色域を包含する色域を選択して、マッピング用の色域として設定する処理を行う。こうすれば、複数の色域の中から条件を満たす色域を選択するという簡単な処理で、マッピング用の色域を設定することができる。また、条件を満たすか否かの判断を、複数用意されている候補の色域の中で小さな色域から順番に行っているので、不必要に大きな色域をマッピング用の色域として選択することがない。
【００８７】
尚、このように簡単な処理でマッピング用の色域を設定することができるのは、本実施例のマッピングデータ生成処理が、入力側および出力側の２つの色域を包含しているのであれば、どのような色域であってもマッピング用の色域として用いることができるためである。もっとも、マッピング用の色域があまりに複雑な形になることは好ましいことではなく、例えば、図１４に例示したように、明度Ｌ＊の変化に伴って表現可能な彩度Ｃ＊の最大値が単調に増加した後、単調に減少するような、単純な形状をしていることが望ましい。
【００８８】
以上のようにしてマッピング用の色域を設定したら、入力側の色域をマッピング用の色域に拡張するように写像を行った後、拡張した色域を出力側の色域に圧縮するように写像する処理を行う（図１２のステップＳ２１０、Ｓ２１２）。
【００８９】
図１５は、入力側の色域をマッピング用の色域に拡張した後、拡張した色域を出力側の色域に圧縮している様子を概念的に示した説明図である。尚、入力側の色域を出力側の色域に変換することに伴って、入力側の色域で表現されていた色彩が出力側では異なる色彩として表現されるといったことが生じる。もっとも、入力側と出力側とで同じカラー画像の印象が異なってしまうのは好ましいことではない。従って、入力側の色域でも出力側の色域でも同じ色彩を表現可能な部分（すなわち、２つの色域が重なっている部分）では、変換の前後で出来るだけ色彩が変わらないようにしながら、入力側の色域を出力側の色域に変換することが望ましい。こうした観点から、色域の拡張および圧縮を行う際には、入力側の色域と出力側の色域とが重なる領域の中央部分では元の色彩を維持しながら、色域が重なる領域の周辺部分および色域の重ならない領域を中心として、色域の拡張および圧縮を行う。すなわち、入力側の色域をマッピング用の色域に拡張する際には、図１５（ａ）中にハッチングを付して示した領域が、図１５（ｂ）中にハッチングを付して示した領域に拡張されるような写像を行う。また、マッピング用の色域を出力側の色域に圧縮する際には、図１５（ｂ）中にハッチングを付して示した領域が、図１５（ｃ）中にハッチングを付して示した領域に圧縮されるような写像を行う。
【００９０】
尚、図１５（ａ）および図１５（ｂ）では、こうした色域の拡張および圧縮を行う際に異なる色彩に変更される領域（ハッチングを付して示した領域）と、元の色彩が維持される領域とが、明確に区分されているかのように表示されているが、実際には、これら２つの領域は一方の領域から他方の領域へと連続的に変化しており、明確な境界を有しているわけではない。図中でこれら２つの領域の境界が破線で示されているのは、こうしたことを表したものである。図１２のステップＳ２１０およびＳ２１２では、このようにして入力側の色域をマッピング用の色域に一旦拡張した後、マッピング用の色域を出力側の色域に圧縮する処理を行う。
【００９１】
ここで、本実施例のマッピングデータ生成処理において、入力側の色域を出力側の色域に変換する際に、一旦、マッピング用の色域を経由して行う理由について説明する。図１６は、入力側の色域をマッピング用の色域に拡張することに伴って、色彩が異なる色彩に変換される様子を概念的に示した説明図である。図１６では、入力側の色域内にあって明度Ｌ＊の等しい５つの色彩（色彩Ａないし色彩Ｅ）が、マッピング用色域内にある５つの色彩（色彩ａないし色彩ｅ）に変換される様子が示されている。図示した例では、入力側の色域内の色彩Ａないし色彩Ｅは、彩度Ｃ＊が強調された色彩ａないし色彩ｅに変換され、また、元の色彩の彩度Ｃ＊が大きくなるほど強調の度合いが大きくなっている。更に、彩度の大きな色彩（例えば色彩Ｄや色彩Ｅ）については、明度Ｌ＊についても変更されている。前述したように、マッピング用の色域は入力側の色域を包含するように設定されているため、入力側の色域をマッピング用の色域に変換するに際しては、このように彩度Ｃ＊を強調する方向の変換しか発生することはない。従って、色彩や明度の連続性を保ったまま色域を拡張する変換を、容易に実現することが可能である。
【００９２】
図１７は、マッピング用の色域を出力側の色域に圧縮することに伴って、色彩が異なる色彩に変換される様子を概念的に示した説明図である。図１７では、マッピング用の色域内にある５つの色彩（色彩ｆないし色彩ｊ）が、出力側の色域内にあって明度Ｌ＊の等しい５つの色彩（色彩Ｆないし色彩Ｊ）に変換される様子が示されている。図示した例では、マッピング用の色域内の色彩ｆないし色彩ｊは、彩度Ｃ＊が圧縮された色彩Ｆないし色彩Ｊに変換されている。また、元の色彩の彩度Ｃ＊が大きくなるほど圧縮の度合いが大きくなり、更に、彩度の大きな色彩（例えば色彩ｆや色彩ｇ）については、明度Ｌ＊も変更されている。前述したように、マッピング用の色域は出力側の色域も包含するように設定されているため、マッピング用の色域を出力側の色域に変換する際には、このように彩度Ｃ＊を圧縮する方向の変換しか発生しない。このため、色彩や明度の連続性を保ったまま色域を圧縮する変換を、容易に実現することが可能である。
【００９３】
仮に、マッピング用の色域を経由させることなく、入力側の色域を出力側の色域に直接変換した場合、図１６および図１７に示したような単純な変換とはならない。すなわち、明度Ｌ＊が大きな値を取る領域では、彩度Ｃ＊を圧縮する変換が行われ、明度Ｌ＊が小さな値を取る領域では、彩度Ｃ＊を強調する変換が行われる。また、図１６および図１７に示したように、高彩度領域では色域の拡張時および圧縮時のそれぞれで明度Ｌ＊も変更されるから、中間的な明度Ｌ＊の領域では、変換に伴って彩度Ｃ＊が強調される領域と圧縮される領域とが混在して発生する。結局、マッピング用の色域を経由させることなく、入力側の色域から出力側の色域へ直接変換することで、同様な変換を実現しようとすると、個々の色彩を写像する方向および距離が複雑に切り換わるたいへんに複雑な写像となってしまう。実際には、このような複雑な写像を行うことは困難であり、従って、色彩や明度の連続性を保ったまま色域を変換することは困難である。これに対して、本実施例のマッピングデータ生成処理のように、マッピング用の色域を経由させれば、色彩や明度の連続性を保ったまま、入力側の色域をマッピング用の色域に拡張し、更にマッピング用の色域を出力側の色域に圧縮することで、結局、色彩や明度の連続性を保ったまま入力側の色域を出力側の色域に変換することが可能となるのである。
【００９４】
以上のようにして、マッピング用の色域を経由させて、入力側の色域を出力側の色域に変換したら（図１２のステップＳ２１０、Ｓ２１２）、上述した処理を、全ての基本色相について行ったか否かを判断する（ステップＳ２１４）。ここで基本色相とは、図１３（ａ）に示したＹ，Ｒ，Ｍ，Ｂ，Ｃ，Ｇの６つの色相のことである。前述したように、ステップＳ２０２において、これら６つの基本色相の中から１つの色相を選択し、その色相について、上述した処理を行っているので、全ての基本色相についての処理を終了したか否かを判断するのである。そして、未だ処理していない基本色相が残っている場合は（ステップＳ２１４：ｎｏ）、ステップＳ２０２に戻って新たな基本色相を選択し、その色相について、上述した一連の処理を行う。こうした処理を繰り返し、全ての基本色相についての処理を終了したら（ステップＳ２１４：ｙｅｓ）、補間演算によってマッピングデータを生成する処理を開始する（ステップＳ２１６）。
【００９５】
図１８は、補間演算によってマッピングデータを生成する方法について示した説明図である。先ず、図１２のステップＳ２０２ないしステップＳ２１４までの上述した処理を行うことによって、Ｙ，Ｒ，Ｍ，Ｂ，Ｃ，Ｇの６つの基本色相のそれぞれについて、入力側の色域と出力側の色域との対応関係が得られている。例えば、ある色相で入力側の色域を出力側の色域に変換したということは、その色相の彩度Ｃ＊−明度Ｌ＊平面上で、入力側の座標値（Ｃ＊in，Ｌ＊in）に対して、出力側の色彩（Ｃ＊out ，Ｌ＊out ）を対応付けたことに他ならない。図１８には、６つの基本色相について得られた、このような（Ｃ＊in，Ｌ＊in）と（Ｃ＊out ，Ｌ＊out ）との対応関係がまとめて示されている。尚、図中に示した縦軸は、図１３を用いて説明した円柱座標において色相に対応する角度θを表している。また、基本色相は６つ存在が、図１８では、θ＝１８０に対応する色相Ｂ、θ＝２４０に対応する色相Ｃ、θ＝３００に対応する色相Ｇ、およびθ＝３６０に対応する色相Ｙについては、表示が省略されている。
【００９６】
図１８から明らかなように、ある色相（例えばθ＝３０）での（Ｃ＊in，Ｌ＊in）と（Ｃ＊out ，Ｌ＊out ）との対応関係が必要であれば、両側の基本色相に設定されている色彩、すなわちθ＝０の色相Ｙの平面上にある点Ｐ0 に設定されている色彩と、θ＝６０の色相Ｒの平面状にある点Ｐ60に設定されている色彩とから、補間演算によってθ＝３０の色相での彩度Ｃ＊および明度Ｌ＊を算出すればよい。図１２のステップＳ２１６では、６つの基本色相について得られた入力側の色域と出力側の色域との対応関係から、以上のような補間演算を一定角度毎（例えば、θで１０度毎）に行うことにより、全色相でのマッピングデータを生成する処理を行う。
【００９７】
以上のようにして、全色相でのマッピングデータが得られたら、図１２に示すマッピングデータ生成処理を終了して、図１１の色変換テーブル設定処理に復帰する。色変換テーブル設定処理では、こうして得られたマッピングデータに基づいて、色変換テーブルの格子点にＣＭＹＫ画像データを設定する処理（格子点データ設定処理）を行う。
【００９８】
Ｄ−２．格子点データ設定処理  ：
図１９は、色変換テーブルの格子点にＣＭＹＫ画像データ（格子点データ）を設定する処理の流れを示すフローチャートである。以下、フローチャートに従って説明する。
【００９９】
格子点データ設定処理を開始すると、先ず初めに、ＲＧＢ色空間を格子状に細分することにより、複数の格子点を生成する（ステップＳ３０２）。これは次のような処理である。画像データが１バイトデータであるとすると、ＲＧＢ画像データは、Ｒ，Ｇ，Ｂの各成分について階調値０〜階調値２５５の値を取り得る画像データである。従って、互いに直交する３軸にＲ座標、Ｇ座標、Ｂ座標をとって一辺の長さが２５５のＲＧＢ色空間を考えると、全てのＲＧＢ画像データは、この立方体のＲＧＢ色空間内に対応付けることが出来る。ステップＳ３０２では、各軸を直角に分割して、ＲＧＢ色空間内に複数の格子点を生成する処理を行う。図２０は、ＲＧＢ色空間内に複数の格子点を生成した様子を概念的に示した説明図である。
【０１００】
次いで、ＲＧＢ色空間内に生成した複数の格子点の中から、格子点データ（ＣＭＹＫ画像データ）を設定しようとする対象の格子点を１つ選択する（ステップＳ３０４）。格子点はＲＧＢ色空間内に設定されており、格子点の座標値はＲＧＢ画像データを表している。そこで、このＲＧＢ画像データを、いわゆるｓＲＧＢという規格に基づいて表現されたカラー画像データと解釈して、Ｌａｂ表色系で表された色彩のデータ（Ｌａｂデータ）に変換する（ステップＳ３０６）。ＲＧＢ画像データがｓＲＧＢ規格によって表現されていれば、簡単な変換式によって、同じ色彩を表すＬａｂデータに変換することができる。
【０１０１】
こうして選択した格子点に対応するＬａｂデータが得られたら、前述したマッピングデータ生成処理によって求めておいたマッピングデータに従って、Ｌａｂデータを変換する（ステップＳ３０８）。すなわち、前述したように、図１２のマッピングデータ生成処理によって得られたマッピングデータは、デジタルカメラやディスプレイで用いられているＲＧＢ画像データを、色域の異なるＣＭＹＫ画像データで適切に表現するためには、ＲＧＢ画像データの色彩をどのような色彩に変換しておけばよいかを示したデータである。従って、マッピングデータを参照すれば、格子点の座標値が表す色彩を、ＣＭＹＫ画像データではどのような色彩として表現すればよいかを知ることができる。尚、前述したように、マッピングデータは、明度Ｌ＊を中心軸として、角度θによって色相を、中心軸からの距離によって彩度を表した円柱座標によって表現されており、一方、Ｌａｂデータは、明度Ｌ＊を縦軸に取り、互いに直交するａ＊軸およびｂ＊軸によって色相および彩度を表した直角座標によって表現されているが、マッピングデータの座標系を円柱座標から直角座標に変換しておけばよい。このようにして、マッピングデータに基づいて変換されたＬａｂデータは、格子点の座標値が表す色彩をＣＭＹＫ画像データで表現する場合に、ＲＧＢ画像データとＣＭＹＫ画像データとの色域の違いを適切に吸収するためには、どのような色彩としておけばよいかを示すＬａｂデータとなっている。
【０１０２】
そこで、このようにして得られたＬａｂデータを、ＣＭＹＫ画像データに変換する（ステップＳ３１０）。かかる変換は、種々のＣＭＹＫ画像データと、その画像データによって実際に得られる色彩のＬａｂ測色値との対応関係に基づいて行う。このような対応関係は、以下に説明するように、パッチ画像と呼ばれるカラー画像を印刷することによって求めることができる。
【０１０３】
図２１は、種々のＣＭＹＫ画像データを用いてパッチ画像を印刷する様子を概念的に示した説明図である。図２１中に示した複数の小さな矩形は、一つ一つが固有のＣＭＹＫ画像データに対応するカラー画像（パッチ画像）を表している。尚、実際のパッチ画像は、Ｃ，Ｍ，Ｙ，Ｋの４種類の階調値を「０」〜「２５５」の範囲で、いわば四次元的に変更しながら印刷するが、こうした四次元的な変更を二次元的な図として表現することは困難である。そこで、図２１では、便宜上、Ｃ，Ｍ，Ｙの３種類の階調値を「０」〜「２５５」の範囲で、いわば三次元的に変更するものとして表示している。このようにして印刷したパッチ画像を測色すれば、ＣＭＹＫ画像データとＬａｂデータとの対応関係を求めることができる。図１９のステップＳ３１０では、このようにして求めておいた対応関係を参照することにより、Ｌａｂデータを対応するＣＭＹＫ画像データに変換するのである。
【０１０４】
以上のようにして、選択した格子点についてのＣＭＹＫ画像データが得られたら、得られたＣＭＹＫ画像データを格子点データとして、格子点に記憶する（ステップＳ３１２）。次いで、ＲＧＢ色空間内に生成した全ての格子点について、格子点データを記憶したか否かを判断する（ステップＳ３１４）。そして、未だ格子点データを記憶していない格子点が残っていれば（ステップＳ３１４：ｎｏ）、ステップＳ３０４に戻って新たな格子点を１つ選択し、その格子点について上述した処理を行う。このような処理を繰り返し、全格子点について格子点データを記憶したと判断されたら（ステップＳ３１４：ｙｅｓ）、図１９に示した格子点データ設定処理を終了して、図１１の色変換テーブル設定処理に復帰した後、色変換テーブル設定処理も終了する。以上のような処理を行うことにより、全ての格子点にＣＭＹＫ画像データが設定された色変換テーブルを得ることができる。
【０１０５】
このようにして得られた色変換テーブルは、単に、ＲＧＢ各色の階調値によって表現されたカラー画像データを、ＣＭＹＫ各色の階調値によって表現されたデータに変換しているだけでなく、ＲＧＢ画像データとＣＭＹＫ画像データとの色域の違いを適切に吸収可能な色変換テーブルとなっている。本実施例の印刷装置１０では、このような色変換テーブルを参照して色変換処理を行っているので（図７のステップＳ１０４）、高画質なカラー画像を印刷することが可能となっている。
【０１０６】
Ｅ．変形例  ：
本実施例には種々の変形例が存在している。以下では、これら変形例について簡単に説明する。
【０１０７】
（１）第１の変形例  ：
上述した実施例では、マッピング用の色域を設定する際に、予め複数用意しておいた候補の色域の中から、入力側の色域および出力側の色域を包含する色域を選択することによって設定するものとした。しかし、入力側の色域および出力側の色域に基づいて、マッピング用の色域を生成することとしても良い。
【０１０８】
図２２は、入力側の色域および出力側の色域から、マッピング用の色域を生成している様子を概念的に示した説明図である。図示した例では、入力側の色域（ディスプレイの色域）の最大彩度点Ｐ１と、出力側の色域（プリンタの色域）の最大彩度点Ｐ２とを結んで、マッピング用の色域を生成している。また、図２３は、入力側の色域を、生成したマッピング用の色域に拡張した後、マッピング用の色域を出力側の色域に圧縮している様子を概念的に示した説明図である。このようにして生成したマッピング用の色域を経由して、入力側の色域を出力側の色域に変換した場合でも、彩度Ｃ＊の拡張と圧縮とが混在して行われることがない。このため、色彩や明度の連続性を保ったまま入力側の色域を出力側の色域に変換することが可能となる。
【０１０９】
（２）第２の変形例  ：
以上に説明した実施例では、ＲＧＢ画像データをＣＭＹＫ画像データに変換する際に、色域の違いを吸収するような変換（マッピング）も併せて行うものとして説明した。しかし、同じＲＧＢ画像データを扱う画像機器であっても、色域が異なっていることは珍しいことではない。このような場合には、ＲＧＢ画像データ間での色域の違いを吸収するためのマッピングが必要になる。従って、本実施例は、ＲＧＢ画像データをＲＧＢ画像データに変換する場合、あるいはＣＭＹＫ画像データをＣＭＹＫ画像データに変換する場合にも、好適に適用することが可能である。
【０１１０】
以上、本実施例の印刷装置について説明したが、本発明は上記すべての実施例に限られるものではなく、その要旨を逸脱しない範囲において種々の態様で実施することができる。
【図面の簡単な説明】
【０１１１】
【図１】本実施例の印刷装置の概要を示した説明図である。
【図２】本実施例の印刷装置の外観形状を示す斜視図である。
【図３】印刷画像を読み込むために印刷装置の上部に設けられた原稿台カバーを開いた様子を示す説明図である。
【図４】スキャナ部の手前側を持ち上げて回転させた様子を示した斜視図である。
【図５】本実施例の印刷装置の内部構成を概念的に示した説明図である。
【図６】インク吐出ヘッドにインク滴を吐出する複数のノズルが形成されている様子を示した説明図である。
【図７】画像を印刷する画像印刷処理の流れを示すフローチャートである。
【図８】色変換処理のために参照される色変換テーブルを概念的に示した説明図である。
【図９】ディザマトリックスの一部を拡大して例示した説明図である。
【図１０】ディザマトリックスを参照しながら画素毎にドット形成の有無を判断している様子を概念的に示した説明図である。
【図１１】色変換テーブルを設定する処理の流れを示したフローチャートである。
【図１２】マッピングデータ生成処理の流れを示すフローチャートである。
【図１３】円柱座標によって色域の違いを表した説明図である。
【図１４】マッピング用の色域を設定している様子を概念的に示す説明図である。
【図１５】入力側の色域をマッピング用の色域に拡張した後、出力側の色域に圧縮する様子を概念的に示した説明図である。
【図１６】入力側の色域をマッピング用の色域に拡張することに伴って、色彩が異なる色彩に変換される様子を概念的に示した説明図である。
【図１７】マッピング用の色域を出力側の色域に圧縮することに伴って、色彩が異なる色彩に変換される様子を概念的に示した説明図である。
【図１８】補間演算によってマッピングデータを生成する方法について示した説明図である。
【図１９】色変換テーブルの格子点にＣＭＹＫ画像データを設定する処理の流れを示すフローチャートである。
【図２０】ＲＧＢ色空間内に複数の格子点を生成した様子を概念的に示す説明図である。
【図２１】ＣＭＹＫ画像データを用いてパッチ画像を印刷する様子を概念的に示した説明図である。
【図２２】入力側の色域および出力側の色域からマッピング用の色域を生成している様子を概念的に示した説明図である。
【図２３】生成したマッピング用の色域を経由して、入力側の色域を出力側の色域に変換する様子を概念的に示した説明図である。
【符号の説明】
【０１１２】
１０…印刷装置、    １２…インク吐出ヘッド、    １００…スキャナ部、
２００…プリンタ部、    ２４０…印刷キャリッジ、    ２４１…印字ヘッド、
２４２…インクカートリッジ、    ２４３…インクカートリッジ、
２６０…制御回路、    ３００…操作パネル
【図１】
2007053521.tif 000003
【図２】
2007053521.tif 000004
【図３】
2007053521.tif 000005
【図４】
2007053521.tif 000006
【図５】
2007053521.tif 000007
【図６】
2007053521.tif 000008
【図７】
2007053521.tif 000009
【図８】
2007053521.tif 000010
【図９】
2007053521.tif 000011
【図１０】
2007053521.tif 000012
【図１１】
2007053521.tif 000013
【図１２】
2007053521.tif 000014
【図１３】
2007053521.tif 000015
【図１４】
2007053521.tif 000016
【図１５】
2007053521.tif 000017
【図１６】
2007053521.tif 000018
【図１７】
2007053521.tif 000019
【図１８】
2007053521.tif 000020
【図１９】
2007053521.tif 000021
【図２０】
2007053521.tif 000022
【図２１】
2007053521.tif 000023
【図２２】
2007053521.tif 000024
【図２３】
2007053521.tif 000025